(57)【要約】【課題】  ケース間の嵌合端面からの水漏れを確実に防止できるとともに、止水パッキンの先端部への水分の廻り込みを抑制できる止水構造を提供する。【解決手段】  上ケース４の上端部に形成される凸部７と下ケース３の側端部に形成される凹部９とからなるインロー部１０が形成され、このインロー部１０に止水パッキン１１が圧縮状態で嵌入され、また、ケース２の嵌合端面に、インロー部１０から取り出した止水パッキン１１の先端側を重力方向に向ける第１の壁２２とケース２の内側に案内する第２の壁２３とを備えた取り出し部２１が形成されている。これにより、インロー部１０に圧縮状態で嵌入された止水パッキン１１で外部への水漏れを防止するとともに、インロー部１０に浸入した水分が止水パッキン１１の先端部に沿ってケース２の内側に戻される。【選択図】      図１
2007099056.tif 000002
【特許請求の範囲】
【請求項１】
ケース（３，４）間に設けられる嵌合端面がインロー形状に形成され、前記ケース（３，４）間に前記嵌合端面に沿って長尺の止水パッキン（１１）が挟持される止水構造（２０）であって、
前記止水パッキン（１１）の先端部をインロー部（１０）から前記ケース（３，４）の内側に取り出す取り出し部（２１）を、前記ケース（３，４）の嵌合端面に形成したことを特徴とする止水構造（２０）。
【請求項２】
請求項１に記載の止水構造（２０）であって、前記取り出し部（２１）が、前記止水パッキン（１１）の先端側を、重力方向に向ける第１の壁（２２）と、前記ケース（３，４）の内側に案内する第２の壁（２３）とを備えたことを特徴とする止水構造（２０）。
【発明の詳細な説明】
【技術分野】
【０００１】
本発明は、車両用空調装置などに設けられるケースの嵌合端面よりの水漏れを防止する止水構造に関する。
【背景技術】
【０００２】
図２は一般的な空調ユニットのケースを示す分解斜視図で、図２に示す空調ユニットは、内部に送風路を形成し、エバポレータ１などを収納する上下分割タイプのケース２を備えている。このケース２は水平方向の分割ラインＰＬを有し、上端開口部を有する容器状の下ケース３と、下ケース３の上端開口部を覆う蓋状の上ケース４とを組み合わせて構成されている。
【０００３】
従来、上記の空調ユニットに関連する従来技術として、例えば、特許文献１に記載されている「車両用空調装置のクーリングユニット」が挙げられる。この従来技術では、図３に示すように、下ケース３の上端内側の一部に段付き部５を形成し、エバポレータ１で発生した凝縮水などの水分が飛び散ってケース３、４間の嵌合端面に浸入した場合、下ケース３の上端内側に設けた段付き部５で水分が落下してケース２内に戻るようになっている。
【特許文献１】特開平１１−３２１２９５号公報（段落番号００２６〜００２８、図２）
【０００４】
また、上下方向に延びる嵌合端面を有するケースの止水構造に関連するものとして、特許文献２に記載されている「車両用空調装置」が挙げられる。この従来技術では、図４に示すように、一方のケース６の側端部に形成される凸部７と、他方のケース８の側端部に形成される凹部９とからなるインロー部１０が、ケース６，８間の嵌合端面に沿って形成されている。また、インロー部１０に長尺の止水パッキン１１が圧縮された状態で嵌入され、インロー部１０の上端部の近傍に均圧穴１２が設けられている。この従来技術にあっては、ケース６，８間の嵌合端面に沿って止水パッキン１１が挟持され、インロー部１０に圧縮状態で嵌入されているので、エバポレータ１で発生した凝縮水などの水分が飛び散ってケース６、８間のインロー部１０に浸入した場合、前記の止水パッキン１１により外部への水漏れを防止できる。また、止水パッキン１１の上端部では、図４の矢印で示すようにインロー部１０内を水頭圧および毛細管現象で水分が上昇するが、この水分を均圧穴１２から排出することにより、止水パッキン１１の上端部を廻りこんで外部へ漏れることを防止できる。
【特許文献２】特開２００１−２１３１４０号公報（段落番号００２６〜００３２、図６）
【発明の開示】
【発明が解決しようとする課題】
【０００５】
しかしながら、特許文献１に記載されている従来技術では、下ケース３の上端内側の一部に段付き部５を形成することによりケース３、４間から外部への水漏れを防止しているが、止水性をさらに向上させるために止水パッキンを追加した場合、水漏れが発生するという問題があった。また、特許文献２に記載されている従来技術では、上下方向の嵌合端面を有するケース６，８間からの水漏れを防止できるが、図２に示すケース３，４のように水平方向の嵌合端面を有するものに適用しようとする場合には、インロー部１０に浸入した水分が均圧穴１２から排出されないという問題があった。
【０００６】
本発明は、上記のような従来技術を考慮してなされたもので、その目的は、ケース間の嵌合端面から外部への水漏れを確実に防止できるとともに、水平方向の嵌合端面の場合であっても止水パッキンの先端部への水分の廻り込みを抑制することのできる止水構造を提供することにある。
【課題を解決するための手段】
【０００７】
上記目的を達成するため本発明は、ケース間に設けられる嵌合端面がインロー形状に形成され、前記ケース間に前記嵌合端面に沿って長尺の止水パッキンが挟持される止水構造であって、前記止水パッキンの先端部をインロー部から前記ケースの内側に取り出す取り出し部を、前記ケースの嵌合端面に形成した構成にしてある。
【０００８】
このように構成した本発明では、ケース間の嵌合端面に形成した取り出し部より止水パッキンの先端部をインロー部からケースの内側に取り出すので、インロー部に浸入した水分が止水パッキンの先端部に沿ってケースの内側に戻される。これにより、水平方向の嵌合端面を有するケースの場合であっても、止水パッキンの先端部への水分の廻り込みを抑制することができる。また、ケース間の嵌合端面に沿って止水パッキンが挟持され、インロー部に圧縮状態で嵌入されているので、インロー部に浸入した水分が外部へ漏れることを前記の止水パッキンにより確実に防止できる。
【発明の効果】
【０００９】
本発明では、ケース間の嵌合端面から外部への水漏れを確実に防止できるとともに、水平方向の嵌合端面の場合であっても止水パッキンの先端部への水分の廻り込みを抑制できるので、空調装置などに設けられるケースの嵌合端面の止水性をさらに向上できる止水構造が得られるという効果がある。
【発明を実施するための最良の形態】
【００１０】
以下、本発明の実施の形態に係る止水構造の詳細を図に基づいて説明する。
【００１１】
図１は本発明の本実施形態に係る止水構造を備えたケースの斜視図である。なお、図１において前述した図２〜図４に示すものと同等のものには同一符号を付してある。
【００１２】
図１に示すケース２は、図２に示す空調ユニット用の上下分割タイプのものである。本実施形態の止水構造２０では、上ケース４の下端に形成される凸部７と、下ケース３の上端に形成される凹部９とからなるインロー部１０が、ケース３，４間の嵌合端面に沿って形成され、このインロー部１０に、長尺の止水パッキン１１が圧縮された状態で嵌入されている。そして、ケース３，４間の嵌合端面には、止水パッキン１１の先端部をインロー部１０からケース２の内側に取り出す取り出し部２１が形成されている。この取り出し部２１は、止水パッキン１１の先端側を、重力方向、例えば下向き４５度の角度に向ける第１の壁２２と、ケース２の内側に案内する第２の壁２３とを備えている。第１の壁２２は、上ケース４の下端に形成されて止水パッキン１１の上部に圧接しており、第２の壁２３は、下ケース３の上端に形成されて止水パッキン１１の側部に圧接している。
【００１３】
この実施形態にあっては、ケース３，４間の嵌合端面に形成した取り出し部２１の第１の壁２２より、止水パッキン１１の先端側を重力方向（すなわち下方）に向けて、第２の壁２３により、止水パッキン１１の先端側をケース２の内側に案内しているので、インロー部１０に浸入した水分が水頭圧および毛細管現象で止水パッキン１１の先端部に沿ってケース２の内側に向かって流動した後、止水パッキン１１の先端部より重力で流下する。
【００１４】
このように構成した実施形態では、水平方向の嵌合端面を有するケース２の場合であっても止水パッキン１１の先端部への水分の廻り込みを抑制することができる。また、ケース３，４間の嵌合端面に沿って止水パッキン１１が挟持され、インロー部１０に圧縮状態で嵌入されているので、この止水パッキン１１により外部への水漏れを確実に防止できる。
【産業上の利用可能性】
【００１５】
本発明は、水平方向の嵌合端面を有するケースの場合であっても外部への水漏れを確実に防止でき、空調装置などに設けられるケースの嵌合端面の止水性をさらに向上できるという効果があるので、車両用空調装置に適用できると共に、その他、一般機械用あるいは産業機械用などの空調装置にも広く適用可能である。
【図面の簡単な説明】
【００１６】
【図１】本発明の本実施形態に係る止水構造を備えたケースの斜視図である。
【図２】一般的な空調ユニットのケースを示す分解斜視図である。
【図３】水平方向の嵌合端面を有するケースの止水構造の従来例を示す斜視図である。
【図４】上下方向の嵌合端面を有するケースの止水構造の従来例を示す斜視図である。
【符号の説明】
【００１７】
２  ケース
３  下ケース
４  上ケース
７  凸部
９  凹部
１０  インロー部
１１  止水パッキン
２０  止水構造
２１  取り出し部
２２  第１の壁
２３  第２の壁
【図１】
2007099056.tif 000003
【図２】
2007099056.tif 000004
【図３】
2007099056.tif 000005
【図４】
2007099056.tif 000006